(57)【要約】コインチューブ（６）内の最下部の硬貨（Ｃ１）を払い出すための第１ペイアウトスライド（８Ａ）と、コインチューブ（６）内の前記硬貨の上の少なくとも１枚の硬貨（Ｃ２）を払い出すための第２ペイアウトスライド（８Ｂ）が設けられる。チェンジレバー（１２）、ソレノイド（１３）等を含む選択機構により、第１ペイアウトスライド（８Ａ）を単独で作動させるか、又は第１及び第２ペイアウトスライド（８Ａ），（８Ｂ）を一緒に作動させるかを選択する。第１ペイアウトスライド（８Ａ）を単独で作動することにより１枚の硬貨が払い出され、第１及び第２ペイアウトスライド（８Ａ），（８Ｂ）を一緒に作動することにより少なくとも２枚の硬貨が一度に払い出される。対応するコインチューブ（６）からの硬貨の払い出しを選択的に規制するチェンジスライド（１１（１１Ａ））を更に備え、第１ペイアウトスライド（８Ａ）の作動にかかわらず硬貨の払い出しが行われないようにしてもよい。
2016104254.tif 000002
【特許請求の範囲】
【請求項１】
硬貨を蓄積するように構成され、下端に硬貨払出用のスリットを有する硬貨収納部と、  前記硬貨収納部内の最下部の硬貨を払い出すための第１払出摺動部材と、  前記硬貨収納部内の前記最下部の硬貨の上の少なくとも１枚の硬貨を払い出すための第２払出摺動部材と、  前記第１払出摺動部材を単独で又は前記第１及び第２払出摺動部材を一緒に作動させるように選択する選択機構であって、前記第１払出摺動部材を単独で作動することにより１枚の硬貨を払い出し、前記第１及び第２払出摺動部材を一緒に作動することにより少なくとも２枚の硬貨を払い出すようにする前記選択機構とを備える硬貨払出装置。
【請求項２】
前記選択機構は、選択的に変位する規制操作部材を含み、該規制操作部材は、前記１枚の硬貨を払い出すとき前記第２払出摺動部材の動きを規制する第１位置に位置し、前記少なくとも２枚の硬貨を払い出すとき前記第２払出摺動部材の動きを規制しない第２位置に位置するように構成されている、請求項１の硬貨払出装置。
【請求項３】
硬貨払出のために前記第１払出摺動部材を駆動する駆動装置と、  前記第１払出摺動部材に前記第２払出摺動部材を係止する第１係止部とを更に備え、前記第２払出摺動部材の動きが規制されていない状態において、前記駆動装置による前記第１払出摺動部材の駆動に伴い前記第１係止部を介して前記第２払出摺動部材が一緒に動き、他方、前記第２払出摺動部材の動きが規制された状態において、前記駆動装置による前記第１払出摺動部材の駆動に伴い前記第１係止部による前記第２払出摺動部材の係止が解除されて前記第２払出摺動部材が非作動とされる、請求項２の硬貨払出装置。
【請求項４】
前記硬貨収納部からの硬貨の払い出しを選択的に規制する払出規制部材を更に備え、  前記払出規制部材により前記硬貨収納部からの硬貨の払い出しが規制された状態においては、前記第１払出摺動部材の作動にかかわらず、前記硬貨収納部からの硬貨の払い出しが行われない、請求項１乃至３のいずれかの硬貨払出装置。
【請求項５】
前記第１払出摺動部材の硬貨払出方向に隣接して配設され、該第１払出摺動部材による硬貨の払い出しを規制する第１払出規制部材と、  前記第２払出摺動部材の硬貨払出方向に隣接して配設され、該第２払出摺動部材による硬貨の払い出しを規制する第２払出規制部材とを更に備え、  前記規制操作部材は、前記第１位置のとき前記第１払出規制部材の動きを規制することなく前記第２払出規制部材の動きを規制することにより前記第２払出摺動部材を非作動とし、前記第２位置のとき前記第１及び第２払出規制部材の動きを規制しないことにより前記第１及び第２払出摺動部材の両方を作動可能とし、  前記規制操作部材は、更に、硬貨を払い出さないとき前記第１及び第２払出規制部材の両方の動きを規制する第３位置に位置するように構成されている、請求項２又は３の硬貨払出装置。
【請求項６】
前記駆動装置に前記第１及び第２払出規制部材をそれぞれ係止する第２係止部を更に備え、  前記規制操作部材の位置に応じて前記第１及び／又は第２払出規制部材の動きが規制されるとき、前記駆動装置の駆動に伴い前記第２係止部における前記第１及び／又は第２払出規制部材の係止が解除されて前記第１及び／又は第２払出摺動部材が非作動とされる、請求項５の硬貨払出装置。
【請求項７】
前記第１払出規制部材は、硬貨払出動作時において、硬貨の下部を支持することで、前記第１払出摺動部材による硬貨の払い出しを規制し、  前記第２払出規制部材は、硬貨払出動作時において、前記第２払出摺動部材の移動を規制することで、前記第２払出摺動部材による硬貨の払い出しを規制する、請求項５又は６の硬貨払出装置。
【請求項８】
前記規制操作部材の移動を阻止するための移動阻止部材を有し、  前記移動阻止部材は、硬貨を前記１枚払い出す場合には、前記規制操作部材よりも前に動作し、前記規制操作部材の上方への移動を阻止し、硬貨を前記少なくとも２枚払い出す場合には、前記規制操作部材よりも後に動作し前記規制操作部材の下方への移動を阻止する、請求項１乃至７のいずれかの硬貨払出装置。
【請求項９】
前記第２払出摺動部材を重畳的に複数設け、  前記選択機構は、更に、複数の前記第２払出摺動部材の各々を選択的に作動するように構成されている、請求項１乃至８のいずれかの硬貨払出装置。
【発明の詳細な説明】
【技術分野】
【０００１】  本発明は、自動販売機、両替機、精算機、券売機、サービス機器等（以下、「自動販売機等」という。）内の硬貨処理装置に搭載され、金種ごとに収納された硬貨を釣銭等の額に応じて払い出す硬貨払出装置に関する。
【背景技術】
【０００２】  従来、自動販売機等の内部には、投入硬貨の正偽を判別するとともに、正貨とみなされた投入硬貨を金種ごとに選別収容し、さらに選別収容された硬貨を釣銭等の額に応じて払い出す硬貨処理装置が搭載されている。硬貨処理装置は、投入硬貨の正偽を判別するとともに投入硬貨を金種別に振り分ける硬貨選別装置と、硬貨選別装置により振り分けられた投入硬貨を金種ごとに収納してそこから釣銭等の額に応じた硬貨を選択して払い出す硬貨払出装置とから構成される（例えば、特許文献１）。【０００３】  図１３及び図１４を用いて従来の硬貨払出装置の構造を説明する。図１３は、従来の硬貨払出装置の構成を示す斜視図である。図１３には、硬貨の払い出しが開始されていない待機状態を示しており、図１４におけるコインチューブ１０６が省略されている。図１４は、従来の硬貨払出装置の手順を説明する要部断面図で、（ａ）は待機状態を示す図、（ｂ）は払出状態において硬貨の払い出しを行っている状態を示す図、（ｃ）は払出状態において硬貨の払い出しを阻止している状態を示す図である。なお、ここでの払出状態とは、図１４（ｂ）及び（ｃ）に示すように、後述のペイアウトスライド１０８の往復動作の途中、その硬貨保持孔Ｍがコインベース１０７の上方から外れた位置へ移動する状態をいう。【０００４】  図１３に示すように、従来の硬貨払出装置１０３は、図示しないモータ等の駆動手段と、当該駆動手段の駆動力により一払出動作ごとに一方向（矢印Ａ方向）へ一回転するペイアウトカム１１０と、ペイアウトカム１１０の下面に突設されたピン１１０ａと係合する溝１０９ａを有しペイアウトカム１１０が一回転すると図の初期位置から矢印Ｂの方向へ往復移動するペイアウトリンク１０９と、ペイアウトリンク１０９の往復運動に連動して矢印Ｂ方向へ往復移動するペイアウトスライド１０８とを有する。また、ペイアウトスライド１０８には、複数のコインチューブ１０６（硬貨収納部）に対応して、コインチューブ１０６の各最下面に収納された硬貨の周囲を保持する硬貨保持孔Ｍが形成されている。また、ペイアウトスライド１０８の下方にはコインベース１０７が配設され、待機状態（図１４（ａ）参照）における硬貨の底面を保持している。【０００５】  一方、ペイアウトリンク１０９には、複数のコインチューブ１０６の種類に対応して、複数のチェンジスライド１１１が挿抜自在に嵌挿している。チェンジスライド１１１は、先端がペイアウトスライド１０８の各硬貨保持孔Ｍの下方に位置し、各硬貨保持孔Ｍに一枚ずつ収容された硬貨の払い出しと非払い出しとを切り替える。チェンジスライド１１１は、ペイアウトリンク１０９に連動して移動するものであるが、チェンジスライド１１１の移動が規制されると、ペイアウトリンク１０９と連動しなくなる。【０００６】  各チェンジスライド１１１の後端部には、それぞれ、駆動手段により上下に移動するチェンジレバー１１２が当接可能に配設される。チェンジレバー１１２は、チェンジレバー用のソレノイド１１３のプランジャ先端に取り付けられている。ソレノイド１１３のプランジャは、復帰ばねによって突出方向に付勢されており、ソレノイド１１３への通電により、突出方向とは反対の方向��吸引され、ソレノイド１１３への通電を停止すると、復帰ばねによる付勢により元の位置に戻る。チェンジレバー１１２は、ソレノイド１１３への通電を停止している時は、復帰ばねの付勢力によって下方の払出阻止位置をとり、チェンジスライド１１１の後端と係合してチェンジスライド１１１の移動を規制し、ソレノイド１１３への通電を行っている時は、上に移動して払出許容位置をとる。その結果、チェンジスライド１１１の後端との係合が解除され、チェンジスライド１１１の移動を規制しなくなる。このチェンジスライド１１１、チェンジレバー１１２及びソレノイド１１３からなる機構は、各硬貨保持孔Ｍに一対一に対応して設けられており、それぞれ個別に動作する。【０００７】  チェンジスライド１１１は、その後端が当該チェンジスライド１１１に対応するチェンジレバー１１２に当接していない状態においては、図１４（ｂ）に示すように、ペイアウトリンク１０９及びペイアウトスライド１０８の往復移動に連動して往復運動し、対応する硬貨保持孔Ｍの下方を開放する。一方、その後端が当該チェンジスライド１１１に対応するチェンジレバー１１２に当接した状態においては、図１４（ｃ）に示すように、チェンジスライド１１１は、ペイアウトリンク１０９及びペイアウトスライド１０８の往復移動に連動せずに、待機状態の位置（図１４（ａ）参照）を維持する。【０００８】  この構成により、従来の硬貨払出装置１０３は次のように動作する。まず、チェンジスライド１１１とチェンジレバー１１２との動作について説明する。払い出される硬貨の硬貨保持孔Ｍに対応するソレノイド１１３のみに通電を行ってそのチェンジレバー１１２を上に移動させる（切替動作）。これにより、そのチェンジレバー１１２とチェンジスライド１１１との当接が解除され、ペイアウトスライド１０８の往復移動に連動して払い出される硬貨の硬貨保持孔Ｍに対応するチェンジスライド１１１が往復移動することが可能となる。他方、払い出されない硬貨の硬貨収容孔に対応するソレノイド１１３へは通電が行われない。このため、そのチェンジレバー１１２とチェンジスライド１１１との係合は解除されず、払い出されない硬貨の硬貨保持孔Ｍに対応するチェンジスライド１１１の移動は規制される。【０００９】  次に、ペイアウトリンク１０９とペイアウトスライド１０８との動作について説明する。図示しないモータ等の駆動手段の駆動によりペイアウトカム１１０が矢印Ａ方向に沿って一回転すると、ペイアウトリンク１０９及びペイアウトスライド１０８は、矢印Ｂ方向に沿って往復運動する。ここで、ペイアウトスライド１０８の各硬貨保持孔Ｍに収容された各硬貨も、ペイアウトスライド１０８とともにスライドする。【００１０】  このとき、図１４（ｂ）に示すように、硬貨の払い出しを行う場合、払い出される硬貨に対応するチェンジレバー１１２は、チェンジスライド１１１と当接しない位置に移動している。すると、ペイアウトリンク１０９及びペイアウトスライド１０８の移動に連動してチェンジスライド１１１が後方へスライド移動することで、硬貨保持孔Ｍの下方が開放されることとなる。この場合、硬貨保持孔Ｍに保持された硬貨は、下方の支えを失い、落下して払い出される。他方、図１４（ｃ）に示すように、硬貨の払い出しを行わない場合、払い出されない硬貨に対応するチェンジレバー１１２は、チェンジスライド１１１と当接する位置に移動している。すると、ペイアウトリンク１０９及びペイアウトスライド１０８の移動に連動してチェンジスライド１１１が移動せず、硬貨保持孔Ｍの下方は支持されることとなる。この場合、硬貨保持孔Ｍに保持された硬貨は、チェンジスライド１１１によって下方を支えられた状態にあるので、落下せずに払い出されない。【００１１】  上述のような硬貨払出装置のように複数のコインチューブ１０６を有し、その下方に複数の金種の硬貨保持孔Ｍを有するペイアウトスライド１０８を有する構成であると、原理的に、ペイアウトスライド１０８の一度の往復動で、複数の金種を同時に払い出すことが可能である。すなわち、図１３の例では、ペイアウトスライド１０８において５つの硬貨保持孔Ｍが設けられており、硬貨保持孔Ｍに対応して合計５個のコインチューブ１０６が設けられる。従って、複数のコインチューブ１０６からの選択的硬貨払出のために、ペイアウトスライド１０８は１個の駆動手段（ペイアウトカム１１０に関連する駆動手段）で共通に駆動する一方で、チェンジスライド１１１は各コインチューブ１０６に対応して個別に設けてチェンジレバー１１２によって個別に制御することにより、硬貨払出に使用するコインチューブ１０６（金種）の選択を行うように構成されている。なお、５つのコインチューブ１０６を用いて５金種の硬貨を同時に払い出す場合、電力不足を補うため、機械的に払出状態を維持するように構成した硬貨払出装置も知られている。これにより、より多くの金種を払い出すことが可能となっている。【００１２】  また、ペイアウトスライド１０８に形成される硬貨保持孔Ｍの厚さは、通常、一つの金種につき１枚分の厚みとされるが、そうすると、各金種につき１枚ずつしか払い出すことができない。この点に鑑みて、ペイアウトスライド１０８における所望の金種（コインチューブ１０６）に対応する硬貨保持孔Ｍの厚さを２枚分の厚さとすることで、当該所望の金種のみ２枚同時に払い出すことのできるように構成した硬貨払出装置も知られている。【００１３】  しかしながら、所望の金種（コインチューブ１０６）に対応する硬貨保持孔Ｍの厚さを２枚分とする構成では、２枚払出専用の構成となり、２枚払い出すか、若しくは、払い出さないか、のいずれかの選択のみしか行えない。このため、所望の金種について一度に１枚又は２枚払出すことを選択的に行えるようにするためには、当該金種に関して、１枚払出専用のコインチューブ１０６と２枚払出専用のコインチューブ１０６とを別々に設ける必要があった。
【先行技術文献】
【特許文献】
【００１４】
【特許文献１】特開２０１１−２３７９９０号公報
【発明の概要】
【００１５】  本発明は上述の点に鑑みてなされたものでありその目的は、１つの硬貨収納部（コインチューブ）から一度に払い出せる硬貨の枚数を選択可能とした硬貨払出装置を提供することにある。
【００１６】  上記目的の達成のために、本発明に係る硬貨払出装置は、硬貨を蓄積するように構成され、下端に硬貨払出用のスリット（Ｓ）を有する硬貨収納部（６）と、前記硬貨収納部内の最下部の硬貨を払い出すための第１払出摺動部材（８Ａ）と、前記硬貨収納部内の前記最下部の硬貨の上の少なくとも１枚の硬貨を払い出すための第２払出摺動部材（８Ｂ）と、前記第１払出摺動部材（８Ａ）を単独で又は前記第１及び第２払出摺動部材（８Ａ，８Ｂ）を一緒に作動させるように選択する選択機構（１２，１３）であって、前記第１払出摺動部材（８Ａ）を単独で作動することにより１枚の硬貨を払い出し、前記第１及び第２払出摺動部材（８Ａ，８Ｂ）を一緒に作動することにより少なくとも２枚の硬貨を払い出すようにする前記選択機構とを備える。なお、括弧内の符号は、後述する実施形態の対応する構成要素の符号を本発明の一例として示したものである。
【００１７】  このように、第１及び第２払出摺動部材（８Ａ，８Ｂ）を上下に重ねて配設し、第１払出摺動部材（８Ａ）を単独で又は第１及び第２払出摺動部材（８Ａ，８Ｂ）を一緒に作動させるように選択することにより、１つの硬貨収納部から１回の払出動作で１枚の硬貨又は少なくとも２枚の硬貨を一度に払い出すように選択することができる。
【００１８】  一実施例において、前記選択機構は、選択的に変位する規制操作部材（１２，１３）を含み、該規制操作部材は、前記１枚の硬貨を払い出すとき前記第２払出摺動部材（８Ｂ）の動きを規制する第１位置に位置し、前記少なくとも２枚の硬貨を払い出すとき前記第２払出摺動部材（８Ｂ）の動きを規制しない第２位置に位置するように構成されてよい。また、硬貨払出のために前記第１払出摺動部材（８Ａ）を駆動する駆動装置（９，１０）と、前記第１払出摺動部材（８Ａ）に前記第２払出摺動部材（８Ｂ）を係止する第１係止部（８Ａ１，８Ｂ１）とを更に備えてよい。これにより、駆動装置（９，１０）によって第１払出摺動部材（８Ａ）を駆動するのみで、規制操作部材（１２，１３）の位置に応じて前記第２払出摺動部材（８Ｂ）をも選択的に追従駆動させることが可能となり、第１及び第２払出摺動部材（８Ａ，８Ｂ）を効率的に駆動することができる。
【００１９】  一実施例において、前記第１払出摺動部材（８Ａ）の硬貨払出方向に隣接して配設され、該第１払出摺動部材（８Ａ）による硬貨の払い出しを規制する第１払出規制部材（１１Ａ）と、前記第２払出摺動部材（８Ｂ）の硬貨払出方向に隣接して配設され、該第２払出摺動部材（８Ｂ）による硬貨の払い出しを規制する第２払出規制部材（１１Ｂ）とを更に備えてよく、前記規制操作部材（１２，１３）は、前記第１位置のとき前記第１払出規制部材の動きを規制することなく前記第２払出規制部材の動きを規制することにより前記第２払出摺動部材を非作動とし、前記第２位置のとき前記第１及び第２払出規制部材の動きを規制しないことにより前記第１及び第２払出摺動部材の両方を作動可能とし、前記規制操作部材は、更に、硬貨を払い出さないとき前記第１及び第２払出規制部材の両方の動きを規制する第３位置に位置するように構成されてよい。また、前記駆動装置（９，１０）に前記第１及び第２払出規制部材（１１Ａ，１１Ｂ）をそれぞれ係止する第２係止部（９ｃ１，１１Ａ１，９ｄ１，１１Ｂ１）を更に備えてよく、前記規制操作部材（１２，１３）の位置に応じて前記第１及び／又は第２払出規制部材（１１Ａ，１１Ｂ）の動きが規制されるとき、前記駆動装置（９，１０）の駆動に伴い前記第２係止部（９ｃ１，１１Ａ１，９ｄ１，１１Ｂ１）における前記第１及び／又は第２払出規制部材の係止が解除されて前記第１及び／又は第２払出摺動部材が非作動とされるようにしてよい。これにより、駆動装置（９，１０）によって、第１及び第２払出規制部材（１１Ａ，１１Ｂ）をも駆動することが可能となり、第１及び第２払出規制部材（１１Ａ，１１Ｂ）を効率的に駆動することができる。
【００２０】  なお、規制操作部材（１２）の位置を制御するために移動阻止部材（１５）を設けてもよい。移動阻止部材（１５）は、硬貨（Ｃ）を前記１枚払い出す場合には、規制操作部材（１２）よりも前に動作し、規制操作部材（１２）の上方への移動を阻止し、硬貨（Ｃ）を前記少なくとも２枚払い出す場合には、規制操作部材（１２）よりも後に動作し規制操作部材（１２）の下方への移動を阻止することとしてもよい。このように、規制操作部材（１２）と移動阻止部材（１５）のいずれかを先に動作させるかを決定するのみで、規制操作部材（１２）の位置を段階的に規定することができる。
【００２１】  また、上記硬貨払出装置（３）において、第１払出規制部材（１１Ａ）は、硬貨払出動作時において、硬貨の下部を支持することで、第１払出摺動部材（８Ａ）からの硬貨（Ｃ１）の払い出しを規制し、第２払出規制部材（１１Ｂ）は、硬貨払出動作時において、第２払出摺動部材（８Ｂ）の移動を規制することで、第２払出摺動部材（８Ｂ）からの硬貨（Ｃ２）の払い出しを規制することとしてもよい。このように、最下部の硬貨（Ｃ１）の払い出しを規制する第１払出規制部材（１１Ａ）と、最下部の直上の少なくとも１枚の硬貨（Ｃ２）の払い出しを規制する第２払出規制部材（１１Ｂ）の規制方法を変え、第１払出規制部材（１１Ａ）のみを硬貨の下方を支える規制方法とし、第２払出規制部材（１１Ｂ）を第２払出摺動部材（８Ｂ）の移動を規制するのみの簡単な規制方法としたことで、第１払出規制部材（１１Ａ）と第２払出規制部材（１１Ｂ）との間や、第１払出摺動部材（８Ａ）と第２払出摺動部材（８Ｂ）との間のスペースを取らない。これにより、コンパクトに構成することができる。
【図面の簡単な説明】
【００２２】
【図１】硬貨払出装置を具備する硬貨処理装置の概略図である。
【００２３】
【図２】硬貨払出装置の斜視図である。
【００２４】
【図３】硬貨払出装置の上面図（平面図）である。
【００２５】
【図４】硬貨払出装置の背面図である。
【００２６】
【図５】図４のＡ−Ａ矢視断面を示す図である。
【００２７】
【図６】硬貨払出装置の待機状態を示す図であり、（ａ）が選択的払出部の斜視図、（ｂ）が図４におけるＡ−Ａ断面図である。
【００２８】
【図７】選択的払出部におけるチェンジスライドとペイアウトリンクとの係止構造を示す拡大斜視図である。
【００２９】
【図８】キープレバーによるチェンジレバーの位置決めを示す図であり、（ａ）が待機状態、（ｂ）が払い出無し状態を示す図である。
【００３０】
【図９】キープレバーによるチェンジレバーの位置決めを示す図であり、（ａ）が１枚払い出し状態、（ｂ）が２枚払い出し状態を示す図である。
【００３１】
【図１０】硬貨払出装置の払い出し無し状態を示す図であり、（ａ）が選択的払出部の斜視図、（ｂ）が図８（ｂ）におけるＢ−Ｂ断面図である。
【００３２】
【図１１】硬貨払出装置の１枚払い出し状態を示す図であり、（ａ）が選択的払出部の斜視図、（ｂ）が図９（ａ）におけるＣ−Ｃ断面図である。
【００３３】
【図１２】硬貨払出装置の２枚払い出し状態を示す図であり、（ａ）が選択的払出部の斜視図、（ｂ）が図９（ｂ）におけるＤ−Ｄ断面図である。
【００３４】
【図１３】従来の硬貨払出装置の構成を示す斜視図である。
【００３５】
【図１４】従来の硬貨払出装置の手順を説明する要部断面図で、（ａ）は待機状態を示す図、（ｂ）は払出状態において硬貨の払い出しを行っている状態を示す図、（ｃ）は払出状態において硬貨の払い出しを阻止している状態を示す図である。
【発明を実施するための形態】
【００３６】  以下、添付図面を参照して本発明の実施形態を説明する。図１は、硬貨払出装置を具備する硬貨処理装置の概略図である。図１に示すように、自動販売機等の内部には、硬貨を収容し且つ払い出す硬貨処理装置１が搭載されている。硬貨処理装置１は、硬貨選別装置２と、硬貨払出装置３とから構成される。硬貨選別装置２は、投入硬貨の正偽を判別する硬貨識別部２Ａと、正貨とみなされた投入硬貨を金種ごとに選別収容する硬貨振分部２Ｂからなる。また、硬貨払出装置３は、金種ごとに収納した硬貨から釣銭等の額に応じた硬貨Ｃを選択して払い出す。硬貨払出装置３には、金種ごとに異なるコインチューブ６（硬貨収納部）が配設される。
【００３７】  本実施形態の硬貨払出装置３では、５本のコインチューブ６を具備するため、５つの金種の硬貨に対応することができる。本実施形態で例示する構成は、５箇所のコインチューブ６に対応する硬貨払出部のうち、本発明に従って選択的に１枚又は少なくとも２枚の硬貨を一度に払出すことが可能な選択的払出部Ｘが１箇所（図２における最も手前側の１箇所）のコインチューブ６のみに対応して設けられている。残りの４箇所のコインチューブ６に対応する払出部（図２における奥側の４箇所の払出部）の構成は、一度に１枚のみの払出しが可能な通常の払出部の構成である。
【００３８】  次に、図２乃至図５を用いて本実施形態の硬貨払出装置３の全体の概略説明をする。図２は、硬貨払出装置３の斜視図である。図３は硬貨払出装置３の上面図（平面図）である。図４は硬貨払出装置３の背面図、図５は、図４のＡ−Ａ矢視断面を示す図である。図２乃至図４では、要部構造の説明のために、硬貨Ｃを収納するコインチューブ６と、ペイアウトリンク９を動作させるペイアウトカム１０の図示を省略する。コインチューブ６には、図５に示すように、硬貨を積載して収納し下端に硬貨払出用のペイアウトスライド８を挿抜可能なスリットＳが設けられる。また、ペイアウトカム１０の動作は、上述した従来技術のペイアウトカム１１０（図１３参照）と同様である。
【００３９】  硬貨払出装置３は、コインチューブ６、ペイアウトカム１０のほか、図２乃至図５に示すように、コインチューブ６の下方に設けられ、コインチューブ６に収納された硬貨を支持するコインベース７（硬貨支持部）と、コインチューブ６に収納された硬貨の周囲の形状及び硬貨の厚さに対応する硬貨保持孔Ｍを有しコインチューブ６の硬貨をスリットＳから払い出すための払出摺動部材であるペイアウトスライド８（第１ペイアウトスライド８Ａ及び第２ペイアウトスライド８Ｂを含む）と、ペイアウトスライド８に対して係合し、硬貨払出動作時に、ペイアウトスライド８を硬貨払出方向に引き出すためのペイアウトリンク９と、ペイアウトスライド８の硬貨払出方向に隣接して配設されペイアウトスライド８からの硬貨の払い出しを規制する払出規制部材であるチェンジスライド１１（第１チェンジスライド１１Ａ及び第２チェンジスライド１１Ｂを含む）と、チェンジスライド１１に当接しその移動を操作しうるチェンジレバー１２（規制操作部材）と、を有する。ここで、ペイアウトリンク９は、ペイアウトカム１０に対して係合溝９ａにて係合し、且つペイアウトスライド８（特に下側の第１ペイアウトスライド８Ａが設けられたスライドプレート）に対して係合突起９ｂにて係合している（図２及び図３参照）。また、ペイアウトリンク９に形成されたスライド孔９ｃ（図４参照）において、チェンジスライド１１を摺動可能に挿入配置している。ペイアウトリンク９、ペイアウトカム１０及び図示しないペイアウトカム作動用モータ等は、硬貨払出のために第１ペイアウトスライド８Ａ（第１払出摺動部材）を駆動する駆動装置として機能する。
【００４０】  各チェンジレバー１２は、ソレノイド１３への通電により移動する。チェンジレバー１２は、チェンジレバー用のソレノイド１３のプランジャ先端に取り付けられている。ソレノイド１３のプランジャは、復帰ばねによって突出方向に付勢され、ソレノイド１３への通電により、突出方向とは反対の方向へ吸引され、ソレノイド１３への通電を停止すると、復帰ばねによる付勢により元の位置に戻る。チェンジレバー１２は、ソレノイド１３への通電を停止している時は、復帰ばねの付勢力によって下方の払出阻止位置をとり、チェンジスライド１１の後端と係合してチェンジスライド１１の移動を規制し、ソレノイド１３への通電を行っている時は、上に移動して払出許容位置をとる。その結果、チェンジスライド１１の後端との係合が解除され、チェンジスライド１１の移動を規制しなくなる。このチェンジスライド１１、チェンジレバー１２及びソレノイド１３からなる機構は、各硬貨保持孔Ｍに一対一に対応して設けられており、それぞれ個別に動作する。チェンジレバー用のソレノイド１３は、後述のキープレバー１５用のソレノイド１４とともに、ソレノイドケースに一体的に保持されている。
【００４１】  硬貨払出装置３の背面には、機械的に各チェンジレバー１２の動作を阻止することで、チェンジレバー１２の状態を維持するキープレバー１５（移動阻止部材）を有する。具体的には、図４に示すように、キープレバー１５と、キープレバー１５に係合しつつ操作するリンク部材１６と、リンク部材１６を駆動させてキープレバー１５を操作するためのキープレバー用のソレノイド１４とを具備する。キープレバー１５は、各チェンジレバー１２に形成されたキープ用突起１２ａに係止可能でキープ用突起１２ａの移動を阻止する櫛歯状の阻止体１５ａ（本実施形態の特徴部分である阻止体１５ａＸを含む）を複数有する。なお、選択的払出部Ｘにおけるキープレバー１５の阻止体１５ａＸの上端は、他の阻止体１５ａよりも高い位置になるように構成され、且つ阻止体１５ａＸの上方のみならず下方も平らに構成される。
【００４２】  この構成により、キープレバー用のソレノイド１４へ通電を行うと、リンク部材１６が矢印方向に回動し、リンク部材１６と係合するキープレバー１５が図中左方へ移動する。キープレバー１５が図中左方に移動すると、キープレバー１５の阻止体１５ａが各キープ用突起１２ａの上方又は下方の位置に来ることとなり、キープ用突起１２ａの上下動を規制する。この結果、キープレバー１５は、チェンジレバー１２の上下方向の移動を機械的に阻止又は保持することとなる。
【００４３】  上記構成により、硬貨払出装置３の動作時は、まず、チェンジレバー用のソレノイド１３と、キープレバー用のソレノイド１４を後述の手順で動作させることで、チェンジレバー１２の高さを調整する。次に、ペイアウトカム１０を回転させると、ペイアウトカム１０と係合溝９ａで係合するペイアウトリンク９がペイアウトスライド８（特に第１ペイアウトスライド８Ａが設けられたスライドプレート）を引き出しつつ、後方（チェンジレバー１２の方向）に移動する。このとき、チェンジレバー１２によりチェンジスライド１１の後方への移動が規制されていると、チェンジスライド１１が初期位置に留まり、ペイアウトスライド８の硬貨保持孔Ｍに保持される硬貨の落下を阻止する。一方、チェンジレバー１２によりチェンジスライド１１の後方への移動が規制されていないと、チェンジスライド１１が初期位置から後方へ移動するため、ペイアウトスライド８の硬貨保持孔Ｍに保持される硬貨の落下はチェンジスライド１１により阻止されず、硬貨が落下して払い出される。
【００４４】  次に、本実施形態の特徴部分である、硬貨の枚数を選択的に払い出すことのできる選択的払出部Ｘについて詳細に説明する。選択的払出部Ｘでは、硬貨の払い出しを行わない払い出し無し状態、硬貨を１枚のみ払い出す１枚払い出し状態、硬貨を２枚同時に払い出す２枚払い出し状態など、複数の状態に選択的に切り替えることができる。まず、図６を用いて、選択的払出部Ｘの詳細構造を説明する。図６は、硬貨払出装置の待機状態を示す図であり、（ａ）が選択的払出部の斜視図、（ｂ）が図４におけるＡ−Ａ断面図である。なお、図６（ｂ）では、図２乃至図４において省略したコインチューブ６とペイアウトカム１０の概略構成を示している。ペイアウトカム１０は下面に突設されたピン１０ａにおいてペイアウトリンク９の係合溝９ａと係合している。
【００４５】  選択的払出部Ｘにおけるペイアウトスライド８は、コインチューブ６の最下部の硬貨Ｃ１を払い出すための第１ペイアウトスライド８Ａと、コインチューブ６の最下部の硬貨Ｃ１の直上の１枚の硬貨Ｃ２を払い出すための第２ペイアウトスライド８Ｂとを具備する。なお、第１ペイアウトスライド８Ａは、すべてのコインチューブ６に共通のスライドプレートにおいて設けられている。すなわち、すべてのコインチューブ６に共通の１枚のスライドプレートにおいて各コインチューブ６に対応する金種の硬貨保持孔Ｍがそれぞれ設けられており、そのうち該選択的払出部Ｘのコインチューブ６に対応する金種の硬貨保持孔Ｍを形成している部分が第１ペイアウトスライド８Ａとして機能する。第２ペイアウトスライド８Ｂは選択的払出部Ｘにおいてのみ設けられており、該第２ペイアウトスライド８Ｂにおいては、該選択的払出部Ｘのコインチューブ６に対応する金種の硬貨保持孔Ｍが、該金種の硬貨を１枚払い出せるような厚みで設けられている。なお、後述するように、変形例として、第２ペイアウトスライド８Ｂは、１枚に限らず２枚以上の硬貨Ｃ２を同時に払い出すような厚みでも構成し得る。第１ペイアウトスライド８Ａは、コインチューブ６（硬貨収納部）内の最下部の硬貨Ｃ１を払い出すための第１払出摺動部材として機能し、第２ペイアウトスライド８Ｂは、コインチューブ６（硬貨収納部）内の前記最下部の硬貨Ｃ１の上の少なくとも１枚の硬貨Ｃ２を払い出すための第２払出摺動部材として機能する。
【００４６】  第１ペイアウトスライド８Ａの前端には、上方に突出する係止突起８Ａ１が形成され、第２ペイアウトスライド８Ｂの前端には、下方に突出する係止突起８Ｂ１が形成される。これにより、第１ペイアウトスライド８Ａと第２ペイアウトスライド８Ｂとは、前方で互いに係止される（緩く係合している）。これらの係止突起８Ａ１，８Ｂ１が、第１ペイアウトスライド８Ａ（第１払出摺動部材）に第２ペイアウトスライド８Ｂ（第２払出摺動部材）を係止する第１係止部として機能する。第２ペイアウトスライド８Ｂ（第２払出摺動部材）の動きが規制されていない状態においては、ペイアウトリンク９及びペイアウトカム１０（駆動装置）等による第１ペイアウトスライド８Ａ（第１払出摺動部材）の駆動に伴い係止突起８Ａ１，８Ｂ１（第１係止部）を介して第２ペイアウトスライド８Ｂ（第２払出摺動部材）が一緒に動き、他方、第２ペイアウトスライド８Ｂ（第２払出摺動部材）の動きが規制された状態においては、ペイアウトリンク９及びペイアウトカム１０（駆動装置）等による第１ペイアウトスライド８Ａ（第１払出摺動部材）の駆動に伴い、係止突起８Ａ１，８Ｂ１（第１係止部）による第１ペイアウトスライド８Ａ（第１払出摺動部材）に対する第２ペイアウトスライド８Ｂ（第２払出摺動部材）の係止が解除されて該第２ペイアウトスライド８Ｂ（第２払出摺動部材）が非作動とされる。
【００４７】  選択的払出部Ｘにおけるチェンジスライド１１は、第１ペイアウトスライド８Ａの硬貨払出方向に隣接して配設され第１ペイアウトスライド８Ａからの硬貨Ｃ１の払い出しを規制する第１チェンジスライド１１Ａと、第２ペイアウトスライド８Ｂの硬貨払出方向に隣接して配設され第２ペイアウトスライド８Ｂからの硬貨Ｃ２の払い出しを規制する第２チェンジスライド１１Ｂと、を具備する。第１チェンジスライド１１Ａはペイアウトリンク９のスライド孔９ｃ内で摺動可能に配設され、第２チェンジスライド１１Ｂはスライド孔９ｃよりも上方に空けられたスライド孔９ｄ内で摺動可能に配設される。
【００４８】  ここで、ペイアウトリンク９とチェンジスライド１１との係止構造について図７を用いて説明する。図７は、選択的払出部Ｘにおけるチェンジスライド１１とペイアウトリンク９との係止構造を示す拡大斜視図である。図７では、ペイアウトリンク９を前方下方側から見ている。スライド孔９ｃ，９ｄの前方端部には、それぞれ係止突起９ｃ１，９ｄ１が設けられており、第１チェンジスライド１１Ａ及び第２チェンジスライド１１Ｂには、それぞれ弾性を有する凸状の係止突起１１Ａ１，１１Ｂ１が設けられている。これにより、ペイアウトリンク９と第１チェンジスライド１１Ａ及び第２チェンジスライド１１Ｂとは、ペイアウトリンク９の前方（図中左方）で互いに係止されている（緩く係合している）。
【００４９】  ここで、第１チェンジスライド１１Ａと第２チェンジスライド１１Ｂは、いずれも硬貨の払い出しを規制するものであるが、規制方法が異なる。具体的には、第１チェンジスライド１１Ａは、硬貨払出動作時において、硬貨の下部を支持することで、第１ペイアウトスライド８Ａからの硬貨Ｃ１の払い出しを規制する。一方、第２チェンジスライド１１Ｂは、硬貨払出動作時において、第２ペイアウトスライド８Ｂの移動を規制することで、第２ペイアウトスライド８Ｂからの硬貨Ｃ２の払い出しを規制する。
【００５０】  選択的払出部Ｘにおけるチェンジレバー１２は、チェンジレバー用のソレノイド１３の通電制御により、３段階の高さになるように調整することができる。具体的には、待機状態及び払い出し無し状態では、第１チェンジスライド１１Ａ及び第２チェンジスライド１１Ｂの双方の後端に当接しうる高さ（最下位置）となり、１枚払い出し状態では、第２チェンジスライド１１Ｂのみの後端に当接しうる高さ（中間位置）となり、２枚払い出し状態では、第１チェンジスライド１１Ａ及び第２チェンジスライド１１Ｂのいずれの後端にも当接しない高さ（最上位置）となることができる。
【００５１】  チェンジレバー１２の当接によって第２チェンジスライド１１Ｂの動きが規制されることに伴い、第２ペイアウトスライド８Ｂの動きが規制される。従って、チェンジレバー１２（規制操作部材）は、１枚の硬貨を払い出すとき第２ペイアウトスライド８Ｂ（第２払出摺動部材）の動きを規制する第１位置（前記中間位置）に位置し、他方、２枚の硬貨を一度に払い出すとき第２ペイアウトスライド８Ｂ（第２払出摺動部材）の動きを規制しない第２位置（最上位置）に位置するように構成されている。詳しくは、チェンジレバー１２（規制操作部材）は、前記第１位置（前記中間位置）のとき第１チェンジスライド１１Ａ（第１払出規制部材）の動きを規制することなく第２チェンジスライド１１Ｂ（第２払出規制部材）の動きを規制することにより前記第２ペイアウトスライド８Ｂ（第２払出摺動部材）を非作動とし、前記第２位置（最上位置）のとき第１及び第２チェンジスライド１１Ａ，１１Ｂ（第１及び第２払出規制部材）の動きを規制しないことにより第１及び第２ペイアウトスライド８Ａ，８Ｂ（第１及び第２払出摺動部材）の両方を作動可能とするように機能する。また、チェンジレバー１２（規制操作部材）は、硬貨を払い出さないとき第１及び第２チェンジスライド１１Ａ，１１Ｂ（第１及び第２払出規制部材）の両方の動きを規制する第３位置（前記最下位置）に位置するように構成されている。
【００５２】  また、前記ペイアウトリンク９の係止突起９ｃ１と第１チェンジスライド１１Ａの係止突起１１Ａ１との係止構造及びペイアウトリンク９の係止突起９ｄ１と第２チェンジスライド１１Ｂの係止突起１１Ｂ１との係止構造は、ペイアウトリンク９（駆動装置）に第１及び第２チェンジスライド１１Ａ，１１Ｂ（第１及び第２払出規制部材）をそれぞれ係止する第２係止部として機能する。すなわち、チェンジレバー１２（規制操作部材）の位置に応じて第１及び／又は第２チェンジスライド１１Ａ，１１Ｂ（第１及び／又は第２払出規制部材）の動きが規制されるとき、前記ペイアウトリンク９（駆動装置）の駆動に伴い前記第２係止部における第１及び／又は第２チェンジスライド１１Ａ，１１Ｂ（第１及び／又は第２払出規制部材）の係止が解除され、それにより第１及び／又は第２ペイアウトスライド８Ａ，８Ｂ（第１及び／又は第２払出摺動部材）が非作動とされる。
【００５３】  具体的なチェンジレバー１２の高さの調整方法を図８及び図９を用いて説明する。図８は、キープレバーによるチェンジレバーの位置決めを示す図であり、（ａ）が待機状態、（ｂ）が払い出無し状態を示す図である。図９は、キープレバーによるチェンジレバーの位置決めを示す図であり、（ａ）が１枚払い出し状態、（ｂ）が２枚払い出し状態を示す図である。まず、待機状態においては、チェンジレバー１２を動作させるチェンジレバー用のソレノイド１３にも、キープレバー１５を動作させるキープレバー用のソレノイド１４にも通電はなされておらず、チェンジレバー１２は最下端の初期位置に位置し、キープレバー１５は図中右方の初期位置に位置している（図８（ａ）参照）。
【００５４】  払い出し無し状態にする場合、チェンジレバー用のソレノイド１３への通電がなされない。このため、チェンジレバー１２は動作せず、元の最下端に位置したままである。その状態でキープレバー用のソレノイド１４への通電がなされる。この場合、チェンジレバー１２は最下端（最下位置）に位置したままの状態となる。（図８（ｂ）参照）。
【００５５】  １枚払い出し状態にする場合、まず、キープレバー用のソレノイド１４に対して通電がなされる。すると、キープレバー１５が図中左方へ移動する。次に、チェンジレバー用のソレノイド１３に対して通電がなされると、チェンジレバー１２が上方に移動しようとする。ここで、キープレバー１５はすでに左方に移動し、その阻止体１５ａＸがキープ用突起１２ａの上方に位置しているため、阻止体１５ａＸはキープ用突起１２ａの上方への移動を阻止する。これにより、チェンジレバー１２は初期位置である最下位置よりは高く移動するものの、キープレバー１５により移動を規制された位置（中間位置）で保持される。（図９（ａ）参照）。
【００５６】  ２枚払い出し状態にする場合、まず、チェンジレバー用のソレノイド１３に対して通電がなされる。すると、チェンジレバー１２が最上端に移動する。次に、キープレバー用のソレノイド１４に対して通電がなされる。すると、キープレバー１５が図中左方へ移動する。ここで、チェンジレバー１２のキープ用突起１２ａは、キープレバー１５の阻止体１５ａＸよりも高い位置へ移動しているため、チェンジレバー用のソレノイド１３への通電がなくなっても、阻止体１５ａＸはキープ用突起１２ａの下方への移動を阻止する。これにより、チェンジレバー１２は最上端（最上位置）に位置したまま、キープレバー１５により保持される。（図９（ｂ）参照）。
【００５７】  この構成により、硬貨払出装置３が払出状態になった場合に選択的払出部Ｘにおいて硬貨を払い出す際の動作を図１０乃至図１２を用いて説明する。ここで、「払出状態」とは、「待機状態」に対する言葉であり、ペイアウトリンク９の後方への移動によりペイアウトスライド８が引き出され、ペイアウトスライド８からの硬貨の払い出しが可能となる状態をいう。なお、払出状態において、ペイアウトリンク９は、係合突起９ｂにより直接係合される第１ペイアウトスライド８Ａのみを引き出すが、第１ペイアウトスライド８Ａと第２ペイアウトスライド８Ｂとは、前方で係止突起８Ａ１と弾性を有する凸状の係止突起８Ｂ１とにより軽く係止されているため、規制がない限り、一体となって動くこととなる。
【００５８】  図１０は、硬貨払出装置３の払い出し無し状態を示す図であり、（ａ）が選択的払出部Ｘの斜視図、（ｂ）が図８（ｂ）におけるＢ−Ｂ断面図である。図１１は、硬貨払出装置の１枚払い出し状態を示す図であり、（ａ）が選択的払出部Ｘの斜視図、（ｂ）が図９（ａ）におけるＣ−Ｃ断面図である。図１２は、硬貨払出装置の２枚払い出し状態を示す図であり、（ａ）が選択的払出部Ｘの斜視図、（ｂ）が図９（ｂ）におけるＤ−Ｄ断面図である。図１０乃至図１２の（ａ）図では、主要部分の説明のため、コインチューブ６、ペイアウトカム１０、及び硬貨Ｃを省略している。
【００５９】  払い出し無し状態では、図１０（ａ）及び（ｂ）に示すように、チェンジレバー１２が第１チェンジスライド１１Ａ及び第２チェンジスライド１１Ｂの双方の後端に当接しうる高さ位置（最下位置）となる。チェンジレバー１２が第１チェンジスライド１１Ａ及び第２チェンジスライド１１Ｂに当接すると、払出状態において、第１ペイアウトスライド８Ａに当接する第１チェンジスライド１１Ａ及び第２ペイアウトスライド８Ｂに当接する第２チェンジスライド１１Ｂの後方への移動がいずれも許容されない。
【００６０】  この場合、第１チェンジスライド１１Ａの係止突起１１Ａ１がペイアウトリンク９のスライド孔９ｃの係止突起９ｃ１を乗り越えることにより、係止状態が解除される。このため、ペイアウトリンク９が後方へ移動しても、第１チェンジスライド１１Ａは後方へ移動しない。また同様に、第２チェンジスライド１１Ｂの係止突起１１Ｂ１がペイアウトリンク９のスライド孔９ｄの係止突起９ｄ１を乗り越えることにより、係止状態が解除される。このため、ペイアウトリンク９が後方へ移動しても、第２チェンジスライド１１Ｂは後方へ移動しない。
【００６１】  この場合、図１０（ｂ）に示すように、第１ペイアウトスライド８Ａに保持される硬貨Ｃ１の下方には第１チェンジスライド１１Ａが存在するため、硬貨Ｃ１は落下せず、第２ペイアウトスライド８Ｂに保持される硬貨Ｃ２の下方には第１ペイアウトスライド８Ａが存在するため硬貨Ｃ２は落下しない。これにより、硬貨Ｃ１及び硬貨Ｃ２は、いずれも払い出されない。
【００６２】  １枚払い出し状態では、図１１（ａ）及び（ｂ）に示すように、チェンジレバー１２が第２チェンジスライド１１Ｂのみの後端に当接しうる高さ位置（中間位置）となる。チェンジレバー１２が第２チェンジスライド１１Ｂのみに当接すると、払出状態において、第１チェンジスライド１１Ａの後方への移動が許容される一方、第２チェンジスライド１１Ｂの後方への移動は許容されない。
【００６３】  この場合、第２チェンジスライド１１Ｂの係止突起がペイアウトリンク９のスライド孔９ｄの係止突起９ｄ１を乗り越えることにより係止状態が解除される。これにより、第２チェンジスライド１１Ｂは、ペイアウトリンク９の移動に追随せず、後方へ移動しない。さらに、第２ペイアウトスライド８Ｂの係止突起８Ｂ１が第１ペイアウトスライド８Ａに設けられた係止突起８Ａ１を乗り越えて係止が解除される。このため、第２ペイアウトスライド８Ｂは、第１ペイアウトスライド８Ａの移動に追随せず、後方へ移動しない。
【００６４】  この場合、図１１（ｂ）に示すように、第１ペイアウトスライド８Ａに保持される硬貨Ｃ１の下方には第１チェンジスライド１１Ａが存在しないため硬貨Ｃ１は落下するが、第２ペイアウトスライド８Ｂに保持される硬貨Ｃ２の下方には第１ペイアウトスライド８Ａが存在するため硬貨Ｃ２は落下しない。これにより、硬貨Ｃ１のみの１枚の払い出しがなされる。
【００６５】  ２枚払い出し状態では、図１２（ａ）及び（ｂ）に示すように、チェンジレバー１２が第１チェンジスライド１１Ａ及び第２チェンジスライド１１Ｂのいずれの後端にも当接しえない高さ位置（最上位置）となる。すると、払出状態において、第１チェンジスライド１１Ａ及び第２チェンジスライド１１Ｂの後方への移動がいずれも許容される。この場合、図１２（ｂ）に示すように、第１ペイアウトスライド８Ａに保持される硬貨Ｃ１の下方には第１チェンジスライド１１Ａが存在せず、硬貨Ｃ１が落下し、第２ペイアウトスライド８Ｂに保持される硬貨Ｃ２の下方には第１ペイアウトスライド８Ａが存在せず、硬貨Ｃ２も落下する。これにより、硬貨Ｃ１及び硬貨Ｃ２の２枚の払い出しがなされる。
【００６６】  以上のように、チェンジレバー１２、ソレノイド１３等を含む機構が、第１ペイアウトスライド８Ａ（第１払出摺動部材）を単独で又は第１及び第２ペイアウトスライド８Ａ，８Ｂ（第１及び第２払出摺動部材）を一緒に作動させるように選択する選択機構として機能する。すなわち、第１ペイアウトスライド８Ａ（第１払出摺動部材）を単独で作動することにより１枚の硬貨が払い出され、第１及び第２ペイアウトスライド８Ａ，８Ｂ（第１及び第２払出摺動部材）を一緒に作動することにより２枚の硬貨が一度に払い出される（後述するように、３枚以上の硬貨を一度に払い出すようにすることも可能）。
【００６７】  以上のように、本実施形態の硬貨払出装置３では、ペイアウトスライド８として、第１ペイアウトスライド８Ａと第２ペイアウトスライド８Ｂとを上下に配設し、これに対応するチェンジスライド１１として、第１チェンジスライド１１Ａと第２チェンジスライド１１Ｂとをペイアウトスライド８に隣接するように配設し、且つチェンジレバー１２を第１チェンジスライド１１Ａ又は第２チェンジスライド１１Ｂのうちの幾つに当接させるかを決定する。これにより、第１チェンジスライド１１Ａ又は第２チェンジスライド１１Ｂのそれぞれが第１ペイアウトスライド８Ａ又は第２ペイアウトスライド８Ｂの摺動を規制し、払い出し枚数を決定する。これにより、１つのコインチューブ６に収納された硬貨の払い出し枚数を選択的に決定することができる。
【００６８】  また、上記硬貨払出装置３において、第１ペイアウトスライド８Ａと第２ペイアウトスライド８Ｂとが互いに係止されるように構成してもよい。これにより、他の部材、すなわち第１チェンジスライド１１Ａや第２チェンジスライド１１Ｂによる規制がなければ、第１ペイアウトスライド８Ａをペイアウトリンク９により引き出すのみで、第２ペイアウトスライド８Ｂをも引き出すことが可能となり、ペイアウトスライド８を効率的に引き出すことができる。
【００６９】  また、上記硬貨払出装置３において、第１チェンジスライド１１Ａ及び第２チェンジスライド１１Ｂをそれぞれ、ペイアウトリンク９に対して係止される構成としてもよい。これにより、他の部材、すなわちチェンジレバー１２による規制がなければ、ペイアウトリンク９を引き出すのみで、第１チェンジスライド１１Ａ及び第２チェンジスライド１１Ｂをも引き出すことが可能となり、第１チェンジスライド１１Ａ及び第２チェンジスライド１１Ｂを効率的に引き出すことができる。
【００７０】  また、上記硬貨払出装置３では、チェンジレバー１２の移動を阻止するためのキープレバー１５を有し、キープレバー１５は、硬貨Ｃを１枚払い出す場合には、チェンジレバー１２よりも前に動作し、チェンジレバー１２の上方への移動を阻止する一方で、硬貨Ｃを２枚払い出す場合には、チェンジレバー１２よりも後に動作しチェンジレバー１２の下方への移動を阻止することとしている。このように、チェンジレバー１２とキープレバー１５のいずれかを先に動作させるかを決定するのみで、チェンジレバー１２の位置を段階的に規定することができる。
【００７１】  また、上記硬貨払出装置３においては、最下部の硬貨Ｃ１の払い出しを規制する第１チェンジスライド１１Ａと、最下部から２枚目の硬貨Ｃ２の払い出しを規制する第２チェンジスライド１１Ｂの規制方法を変えている。具体的には、第１チェンジスライド１１Ａのみを硬貨の下方を支える規制方法とし、第２チェンジスライド１１Ｂを第２ペイアウトスライド８Ｂの移動を規制するのみの簡単な規制方法とした。これにより、第１チェンジスライド１１Ａと第２チェンジスライド１１Ｂとの間や、第１ペイアウトスライド８Ａと第２ペイアウトスライド８Ｂとの間のスペースを取らない。したがって、選択的払出部Ｘ及び硬貨払出装置３をコンパクトに構成することができる。
【００７２】  変形例として、第２チェンジスライド１１Ｂ（第２払出規制部材）を設けることなく、チェンジレバー１２によって第２ペイアウトスライド８Ｂ（第２払出摺動部材）を直接規制するようにしてもよい。例えば、図示された第２ペイアウトスライド８Ｂと第２チェンジスライド１１Ｂとを一体的に構成して、チェンジレバー１２に当接しうる長さを持つ第２ペイアウトスライド８Ｂ（第２払出摺動部材）とすることが可能である。あるいは、第２ペイアウトスライド８Ｂ（第２払出摺動部材）は図示された程度の長さとし、チェンジレバー１２の形状を変形して、該チェンジレバー１２の一部が第２ペイアウトスライド８Ｂ（第２払出摺動部材）に当接しうるにしてもよい。
【００７３】  以上、本発明の実施形態を説明したが、本発明は、上記実施形態に限定されるものではなく、特許請求の範囲、及び明細書と図面に記載された技術的思想の範囲内において種々の変形が可能である。例えば、本実施形態では第２チェンジスライド１１Ｂを第２ペイアウトスライド８Ｂの移動を規制する方式とし、硬貨の支持は、硬貨の下方にあるペイアウトスライド８で支持することにしているので、このような第２ペイアウトスライド８Ｂ及び第２チェンジスライド１１Ｂの組み合わせを重畳的に複数設けるようにしてもよい。例えば、第２ペイアウトスライド８Ｂ及び第２チェンジスライド１１Ｂと同様の組み合わせからなる第３の（又はそれ以上の）ペイアウトスライド８及びチェンジスライド１１を、第２チェンジスライド１１Ｂの上方に配置すれば、１乃至３枚以上のいずれかの枚数の硬貨払い出しを選択的に行うことも可能となる。
【００７４】  別の実施例として、１つの第２ペイアウトスライド８Ｂ及び第２チェンジスライド１１Ｂの組み合わせにより１枚に限らず一度に２枚以上の硬貨を払い出すように構成してもよい（第２ペイアウトスライド８Ｂの厚みを２枚以上の所定枚数の硬貨を同時に払い出すような厚みとする）。例えば、第２ペイアウトスライド８Ｂ及び第２チェンジスライド１１Ｂの組み合わせにより一度に２枚の硬貨を払い出すように構成した場合は、第１及び第２ペイアウトスライド８Ａ，８Ｂを同時に作動させたとき一度に３枚の硬貨を払い出すことができる。
【００７５】  また、第１及び第２ペイアウトスライド８Ａ，８Ｂを選択的に動かすための選択機構は、上記実施例に示した構成からなるものに限らず、第１ペイアウトスライド８Ａ（第１払出摺動部材）のみを動かして１枚の硬貨を払い出すことと、第１及び第２ペイアウトスライド８Ａ，８Ｂ（第１及び第２払出摺動部材）の両方を動かして少なくとも２枚の硬貨を払い出すことのいずれかを選択することができる構成からなるものであればよい。例えば、第１及び第２チェンジスライド１１Ａ，１１Ｂは、共通の駆動装置（ペイアウトリンク９及びペイアウトカム１０等）を用いて複数のコインチューブ６のペイアウトスライド８を共通に駆動するという基本構成において、いずれか１以上のコインチューブ６から硬貨払い出しを選択（許可）するように機能しているので、そのような基本構成を採用しない場合は、適宜省略してよい。例えば、各コインチューブ６毎に個別の硬貨払出用駆動装置を使用する場合、あるいは、１個のコインチューブ６のみで硬貨払出装置を構成するような場合などにおいては、これらの第１及び第２チェンジスライド１１Ａ，１１Ｂ（第１及び第２払出規制部材）を省略してよい。
【図１】
2016104254.tif 000003
【図２】
2016104254.tif 000004
【図３】
2016104254.tif 000005
【図４】
2016104254.tif 000006
【図５】
2016104254.tif 000007
【図６】
2016104254.tif 000008
【図７】
2016104254.tif 000009
【図８】
2016104254.tif 000010
【図９】
2016104254.tif 000011
【図１０】
2016104254.tif 000012
【図１１】
2016104254.tif 000013
【図１２】
2016104254.tif 000014
【図１３】
2016104254.tif 000015
【図１４】
2016104254.tif 000016
【国際調査報告】
2016104254.tif 000017
2016104254.tif 000018
2016104254.tif 000019